【事件の表示】
　特許第３０７８９９６号「太陽電池付壁パネル」の請求項１ないし３に係る特許に対する特許異議の申立てについて、次のとおり決定する。
【結　論】
　訂正を認める。
　特許第３０７８９９６号の請求項１ないし３に係る特許を維持する。
【理　由】
１．手続の経緯
　本件特許第3078996号の特許請求の範囲の請求項1〜3に係る発明は、平成6年12月26日に特許出願され、平成12年6月16日に設定登録がなされ、特許異議の申立がなされ、取消理由通知がなされ、その指定期間内である平成13年7月13日に訂正請求がなされ、再度、取消理由通知がなされ、その指定期間内である平成13年10月12日に前記訂正請求は取り下げられると共に新たに訂正請求がなされたものである。
２．訂正の適否について
　ア．訂正の内容
　訂正事項ａ
　特許請求の範囲の請求項1における記載
「建物の躯体に取り付けられて外壁を構成するとともに、その室外面に太陽電池(4)が取り付けられた太陽電池付壁パネル(1)であって、前記壁パネル(1)の室外の上下両端と、太陽電池(34)を含む太陽電池モジュール(30)および止水板(15)とには、前記太陽電池(34)の室内側に外気を流通させる空気流通手段が設けらていることを特徴とする太陽電池付壁パネル。」を、
「建物の駆体に取り付けられて外壁を構成するとともに、その室外面に太陽電池(34)が取り付けられた太陽電池付壁パネル(1)であって、前記壁パネル(1)は上枠(11)、下枠(12)および左右の縦枠(13)を方形状に枠組みして構成され、前記壁パネル(1)の室外面の上下両端と、太陽電池(34)を含む太陽電池モジュール(30)および前記各枠(11)〜(13)に取り付けられた止水板(15)間とには、前記太陽電池(34)の裏面側である室内側に外気を流通させる空気流通手段が設けられ、前記止水板(15)と各枠(11)〜(13)との間はシール材で防水処理されていることを特徴する太陽電池付壁パネル。」と訂正する。
　訂正事項ｂ
　特許明細書第2頁左欄第20行〜第26行の記載
「本発明の太陽電池付壁パネルは・・・特徴とする。」を、
「本発明の太陽電池付壁パネルは、建物の躯体に取り付けられて外壁を構成するとともに、その室外面に太陽電池が取り付けられた太陽電池付壁パネルであって、前記壁パネルは上枠、下枠および左右の縦枠を方形状に枠組みして構成され、前記壁パネルの室外面の上下両端と、太陽電池を含む太陽電池モジュールおよび前記各枠に取り付けられた止水板間とに、前記太陽電池の裏面側である室内側に外気を流通させる空気流通手段を設け、前記止水板と各枠との間はシール材で防水処理したことを特徴とする。」と訂正する。
　イ．訂正の目的の適否、新規事項の追加及び特許請求の範囲の拡張又は変更の存否
　訂正事項a
　この訂正事項ａは、その「太陽電池壁パネル」を「太陽電池壁パネルは上枠、下枠および左右の縦枠を方形状に枠組みして構成され、」と限定し、その「止水板」を「前記各枠に取り付けられた止水板」と限定し、その「太陽電池の室内側」を「太陽電池の裏面側である室内側」と限定し、そして、その「止水板」を「止水板と各枠との間はシール材で防水処理されている」と限定するものである。
　そして、この訂正事項aの「太陽電池壁パネルは上枠、下枠および左右の縦枠を方形状に枠組みして構成され」という限定は、特許明細書（特許公報第2頁左欄第46行〜第49行）に記載された事項から、この訂正事項aの「前記各枠に取り付けられた止水板」という限定は、特許明細書（特許公報第2頁左欄第49行〜第2頁右欄第1行）に記載された事項から、この訂正事項aの「太陽電池の裏面側である室内側」という限定は、特許明細書（特許公報第3頁右欄第43行〜第44行）に記載された事項から、そして、この訂正事項aの「止水板と各枠との間はシール材で防水処理されている」という限定は、特許明細書（特許公報第2頁左欄第49行〜第2頁右欄第2行及び図2）に記載された事項から、それぞれ直接的かつ一義的に導き出せる事項である。
　したがって、この訂正事項ａは、特許請求の範囲の減縮を目的とするものであり、新規事項を追加するものでなく、特許請求の範囲を実質的に拡張又は変更するものでもない。
　訂正事項ｂ
　この訂正事項ｂは、上記訂正事項ａの訂正に伴って、特許明細書の詳細な説明を訂正するものであるから、明りょうでない記載の釈明に該当し、新規事項を追加するものでなく、特許請求の範囲を実質的に拡張又は変更するものでもない。
　ウ．むすび
　以上のとおり、上記訂正請求は、特許法第120条の4第2項及び同法同条第3項で準用する平成6年法律第116号における改正前の特許法第126条第1項ただし書き及び同法同条第２項の規定に適合するので、当該訂正を認める。
３．特許異議申立について
　ア．本件発明
　訂正後の特許明細書の特許請求の範囲の請求項1〜3に係る発明（以下、本件発明1〜3という。）は次のとおりのものである。
「【請求項1】　建物の躯体に取り付けられて外壁を構成するとともに、その室外面に太陽電池(34)が取り付けられた太陽電池付壁パネル(1)であって、前記壁パネル(1)は上枠(11)、下枠(12)および左右の縦枠(13)を方形状に枠組みして構成され、前記壁パネル(1)の室外面の上下両端と、太陽電池(34)を含む太陽電池モジュール(30)および前記各枠(11)〜(13)に取り付けられた止水板(15)間とには、前記太陽電池(34)の裏面側である室内側に外気を流通させる空気流通手段が設けられ、前記止水板(15)と各枠(11)〜(13)との間はシール材で防水処理されていることを特徴とする太陽電池付壁パネル。
　【請求項2】　請求項1記載の太陽電池付壁パネル(1)において、前記空気流通手段は、壁パネル(1)の室外面の上下両端に設けられたがらり(20)と、太陽電
池(34)の室内側に形成されてがらり(20)に連通された通気路(21)とで構成されていることを特徴とする太陽電池付壁パネル。
　【請求項3】　請求項1記載の太陽電池付壁パネル(1)において、前記空気流通手段は、壁パネル(1)の室外面の上下両端に設けられたパンチングメタル(25)と、太陽電池(34)の室内側に形成されてパンチングメタル(25)に連通された通気路とで構成されていることを特徴とする太陽電池付壁パネル。」
　イ．異議申立の理由の概要
　異議申立人 三協アルミニウム工業株式会社は、証拠として甲第1号証〜甲第6号証を提出し、本件発明1〜3は特許法第29条第2項の規定に違反して特許されたものであるから、そして、本件発明1は特許法第29条の2の規定に違反して特許されたものであるから、それらの特許は取り消されるべき旨主張している。
　ウ．証拠に記載の発明
　甲第1号証（特開昭62-73038号公報）には次の記載がある。
「太陽電池を外装パネルとして構築物の屋根や壁に取り付けることで、外装パネルの有効利用を図ることが考えられている。この場合、太陽電池は日射により温度が上昇すると発電効率が低下することから、太陽電池基板を冷却して太陽電池の温度上昇を防止することが好ましい。」(第1頁右欄第1〜6行)
「太陽電池基板の冷却効果を向上することができる外装パネルの冷却構造を得ることが目的である。」(第1頁右欄15〜17行)
　甲第2号証（実公昭61-1742号公報）から次の事項を読みとることができる。
「窓ガラスと太陽電池との間に上下方向に延びるエアダクトを形成し、エアダクトの上部と下部に位置する窓枠に外部へ向けて開放した通気口を設け、エアダクトを流通する外気によって太陽電池を冷却する構造を備えた太陽電池発電装置」
　甲第3号証（実願平5-306号（実開平6-55272号公報）のCDROMにより公開された明細書及び図面）から次の事項を読みとることができる。
「フレームに取り付けた太陽電池モジュールの背面に外気を流通させる構造の太陽電池パネル、及びこれを複数個、通気孔を連通させて取り付け、通気孔が連通した外気流通路の最終出口にルーバを設けた構成」
　甲第4号証（実公昭54-105号公報）から次の事項を読みとることができる。
「吸気孔と排気孔を有する外装材であって、吸気孔および排気孔の双方にルーバを装着している。」
　甲第5号証（実開昭55一24459号公報）から次の事項を読みとることができる。
「小孔を多数設けた隠蔽板を有する建物用通風口枠」
　甲第6号証（特願平5-206361号の願書に添付した明細書及び図面(特開平7-55189号公報））には次の事項が記載されているか、若しくは、読みとることができる。
「太陽電池組み込み省エネ型カーテンウオールを開示している。省エネ型との記載がある理由は、空気流通路に太陽電池エネルギーで回るファンと切り替え弁を配置して空気流通路を室内側と室外側とに切り替えられる」
「太陽電池セル設置基材2とカーテンウオール材との間に空気流通路としての空隙を設け、カーテンウオールの下部に外気吸入口と上部に外気吐出口を設けた太陽電池組み込みカーテンウオール」
「太陽電池は温度が高いと性能は低下する。本発明により太陽電池セル設置基材が冷却されることにより、太陽電池の発電能力は確保される。」（段落【0013】）
　エ．当審の対比・判断
　（１）特許法第29条第2項の規定の違反について
　本件発明1〜3の”上枠、下枠および左右の縦枠に取り付けられた止水板(15)と各枠(11)〜(13)との間はシール材で防水処理されている”ことは、甲第1号証〜甲第5号証のいずれにも記載も示唆もされておらず、当業者に周知又は自明の事項でもない。
　そして、本件発明1〜3は、”上枠、下枠および左右の縦枠に取り付けられた止水板(15)と各枠(11)〜(13)との間はシール材で防水処理されている”ことにより、雨水が吹き付けても、太陽電池の性能が劣化することがなく、モジュールを室外側に露出することができるので、外気による冷却効率を向上することができるという作用効果を呈するものである。
　したがって、本件発明1〜3は、上記甲第1号証〜甲第5号証に記載された発明に基づいて当業者が容易に発明をすることができたものとすることができないから、特許法第29条第2項の規定に違反して特許されたものとすることができない。
　（２）特許法第29条の2の規定の違反について
　本件発明1の”上枠、下枠および左右の縦枠に取り付けられた止水板(15)と各枠(11)〜(13)との間はシール材で防水処理されている”ことは、引用例6に記載されておらず、当業者に周知又は自明の事項でもない。
　そして、本件発明1は、”上枠、下枠および左右の縦枠に取り付けられた止水板(15)と各枠(11)〜(13)との間はシール材で防水処理されている”ことにより、雨水が吹き付けても、太陽電池の性能が劣化することがなく、モジュールを室外側に露出することができるので、外気による冷却効率を向上することができるという作用効果を呈するものである。
　したがって、本件発明1は、上記甲第6号証に記載された発明と同一の発明であるとすることができないから、特許法第29条の2の規定に違反して特許されたものとすることができない。
　オ．むすび
  以上のとおり、異議申立の理由及び証拠によっては、本件発明1〜3についての特許を取り消すことができない。
　また、他に本件発明1〜3についての特許を取り消すべき理由を発見しない。
　よって、結論のとおり決定する。
【異議決定日】
平成１３年１０月１８日（２００１．１０．１８）
【訂正の要旨】
　訂正事項
ａ．特許請求の範囲の請求項１における記載
「建物の躯体に取り付けられて外壁を構成するとともに、その室外面に太陽電池（３４）が取り付けられた太陽電池付壁パネル（１）であって、前記壁パネル（１）の室外面の上下両端と、太陽電池（３４）を含む太陽電池モジュール（３０）および止水板（１５）間とには、前記太陽電池（３４）の室内側に外気を流通させる空気流通手段が設けられていることを特徴とする太陽電池付壁パネル。」を、特許請求の範囲の減縮を目的として、下記の通り訂正する。
「建物の躯体に取り付けられて外壁を構成するとともに、その室外面に太陽電池（３４）が取り付けられた太陽電池付壁パネル（１）であって、
前記壁パネル（１）は上枠（１１）、下枠（１２）および左右の縦枠（１３）を方形状に枠組みして構成され、
前記各枠（１１）〜（１３）に取り付けられた
裏面側である
、前記止水板（１５）と各枠（１１）〜（１３）との間はシール材で防水処理され
ｂ．特許第３０７８９９６号公報明細書第２頁左欄第２０行〜第２６行（願書に添付した明細書第２頁第１４行〜第１８行）の「本発明の太陽電池付壁パネルは、〜特徴とする。」を、訂正事項ａの特許請求の範囲の訂正に対応させて、明りょうでない記載の釈明を目的として、下記の通り訂正する。
「本発明の太陽電池付壁パネルは、建物の躯体に取り付けられて外壁を構成するとともに、その室外面に太陽電池が取り付けられた太陽電池付壁パネルであって、
前記壁パネルは上枠、下枠および左右の縦枠を方形状に枠組みして構成され、
前記各枠に取り付けられた
裏面側である
、前記止水板と各枠との間はシール材で防水処理し
（５４）【発明の名称】
太陽電池付壁パネル
（５７）【特許請求の範囲】
　【請求項１】　建物の躯体に取り付けられて外壁を構成するとともに、その室外面に太陽電池（３４）が取り付けられた太陽電池付壁パネル（１）であって、
前記壁パネル（１）は上枠（１１）、下枠（１２）および左右の縦枠（１３）を方形状に枠組みして構成され、
前記各枠（１１）〜（１３）に取り付けられた
裏面側である
、前記止水板（１５）と各枠（１１）〜（１３）との間はシール材で防水処理され
　【請求項２】　請求項１記載の太陽電池付壁パネル（１）において、前記空気流通手段は、壁パネル（１）の室外面の上下両端に設けられたがらり（２０）と、太陽電池（３４）の室内側に形成されてがらり（２０）に連通された通気路（２１）とで構成されていることを特徴とする太陽電池付壁パネル。
　【請求項３】　請求項１記載の太陽電池付壁パネル（１）において、前記空気流通手段は、壁パネル（１）の室外面の上下両端に設けられたパンチングメタル（２５）と、太陽電池（３４）の室内側に形成されてパンチングメタル（２５）に連通された通気路とで構成されていることを特徴とする太陽電池付壁パネル。
【発明の詳細な説明】
　【０００１】
　【産業上の利用分野】
　本発明は、建物の外壁、例えばカーテンウォールの腰部や非窓部に取り付けられる太陽電池付壁パネルに関する。
　【０００２】
　【背景技術】
　近年、環境保護や省エネルギー化のために、住宅やビルなどの建物に太陽電池を設置するようになった。この際、一戸建て住宅では、太陽電池は通常屋根に設けられるが、ビルなどの高層建築では屋根面に比べて壁面のほうが大面積を確保できるため、壁面に太陽電池を配置することが試みられている（特開昭６１−２８４９７２号公報など参照）。
　ところで、壁面を壁パネルで構成するカーテンウォール等の場合、その壁面に設けられる太陽電池は、通常、壁パネルに一体化されて取り付けられていた。
　【０００３】
　【発明が解決しようとする課題】
　しかしながら、壁パネルと一体化して太陽電池を設けた場合には、太陽電池の裏面側に太陽光の照射による熱がこもって太陽電池自体の温度が上昇し、発電効率が低下するという問題があった。例えば、屋外用アモルファスシリコン太陽電池の場合、太陽電池の温度が５０〜６０℃になると、２５℃程度の場合に比べて出力が５〜１０％程度低くなり、発電効率が低下する問題があった。
　【０００４】
　本発明の目的は、太陽電池の温度上昇を抑えることができ、発電効率の低下を防止することができる太陽電池付壁パネルを提供することにある。
　【０００５】
　【課題を解決するための手段】
　本発明の太陽電池付壁パネルは、建物の躯体に取り付けられて外壁を構成するとともに、その室外面に太陽電池が取り付けられた太陽電池付壁パネルであって、
前記壁パネルは上枠、下枠および左右の縦枠を方形状に枠組みして構成され、
前記各枠に取り付けられた
裏面側である
、前記止水板と各枠との間はシール材で防水処理し
　【０００６】
　ここで、前記空気流通手段としては、壁パネルの室外面の上下両端に設けられたがらりやパンチングメタルと、前記太陽電池の室内側に形成されてがらり、パンチングメタル等に連通された通気路とで構成されたものなどが利用できる。
　【０００７】
　【作用】
　本発明においては、太陽電池付壁パネルに設けた空気流通手段によって、太陽電池の室内側に外気が流通されるため、太陽電池の熱が十分に放熱されて太陽電池の裏面側に熱がこもることがない。このため、太陽電池の温度上昇が抑えられ、発電効率の低下が防止される。
　【０００８】
　【実施例】
　以下、本発明の一実施例を図面に基づいて説明する。
　図１には、本発明の第１実施例の太陽電池付壁パネル１が示されている。この太陽電池付壁パネル１は、カーテンウォール方式で形成された建物の外壁における腰部を構成するものであり、方立２あるいは図示しない無目にブラケットを介して取り付けられている。
　【０００９】
　壁パネル１は、図２にも示すように、アルミの押出形材などからなる中空状の上枠１１、下枠１２および左右の縦枠１３，１３を方形状に枠組みして構成されている。この枠１１〜１３の内面には、Ｌ形ブラケット１４がビス止めされ、このブラケット１４に止水板１５がビス止めされている。この止水板１５の周囲は、シール材で防水処理されている。
　ブラケット１４の室内側には耐火ボード１６が配置され、このボード１６は各枠１１〜１３にビス止めされた押さえ板１７で固定されている。これにより、壁パネル１の開口は、防水および耐火処理されている。
　【００１０】
　また、壁パネル１の周囲には、ＥＰＤＭ（エチレンプロピレンディエンメチレン）などの合成ゴム等により形成されたシール材（気密材、エアタイト材、ＡＴ材）１８が装着されている。このシール材１８は、隣接する他の太陽電池付壁パネル１や太陽電池が取り付けられていない一般の壁パネル３の周囲に密着されて必要な防水性能および気密性能を確保している。
　【００１１】
　この壁パネル１の室外側における上部側および下部側には、空気流通手段としてのがらり２０が配置されている。
　また、上下のがらり２０の間には、横長の太陽電池モジュール３０が上下方向に複数取り付けられている。
　【００１２】
　太陽電池モジュール３０は、ガラス板などの透明パネル３１と、アルミ等のメタルをＰＶＦ（ポリフッ化ビニル）でサンドイッチして形成された裏面パネル３２との間にＥＶＡ（エチレン−酢酸ビニル共重合体），ＰＶＢ（ポリビニルブチラール）等の接着力を有する透明樹脂からなる透明充填材３３を充填し、その充填材３３内に太陽電池モジュール３０の長手方向に沿って複数並べられた太陽電池（セル）３４を封入して形成されている。
　また、充填材３３の周囲には、シリコーン等からなるシール材３５が取り付けられ、充填材３３を外気から遮断している。
　【００１３】
　これらの太陽電池モジュール３０は、その左右両端を左右の縦枠１３，１３にビス止めしたり、上枠１１と下枠１２間に支持棒をかけ渡してその支持棒に取り付けることで固定され、かつ建物の壁面（垂直面）に対してパネル３０の表面側（太陽電池３４の受光面）が斜め上方を向くように傾斜して取り付けられている。
　この際、太陽電池モジュール３０は、左右のビス止め位置を変更したり、支持棒に対して太陽電池モジュール３０の上下を長さの異なるブラケットを介して取り付けることなどで傾斜角度を調整可能とされている。
　【００１４】
　また、太陽電池モジュール３０は、止水板１５から離されて設置されており、太陽電池モジュール３０および止水板１５間に空気流通手段である通気路２１が形成されている。この通気路２１は、がらり２０に連通されており、がらり２０から通気路２１を通して外気が流通されるように構成されている。
　【００１５】
　本実施例においては、例えば下側のがらり２０、通気路２１、上側のがらり２０を通して外気を流通させることによって太陽電池３４の裏面側が冷却され、太陽電池３４の放熱効果を高められ、温度上昇が防止される。なお、太陽電池モジュール３０の裏面パネル３２に放熱フィンなどを設けて外気に触れる面積を大きくし、放熱効果を向上させてもよい。
　【００１６】
　このような本実施例によれば、がらり２０および通気路２１を介して、太陽電池３４の裏面側に外気を導入することができ、太陽電池３４の放熱性能を向上することができる。これにより、太陽電池３４の裏面に熱がこもることがなく、太陽電池３４の温度上昇を抑えることができるため、その発電効率の低下を防止することができる。
　【００１７】
　さらに、各太陽電池モジュール３０を斜めに配置して各モジュール３０間に通気路２１に連通する隙間が形成されているので、がらり２０からだけでなく、前記隙間を通しても外気を流通することができ、太陽電池３４の温度上昇をより一層防止することができる。
　【００１８】
　太陽電池付壁パネル１に、太陽電池モジュール３０とがらり２０とを設けたので、がらり２０が意匠上のアクセントになって太陽電池モジュール３０のみの場合とは異なる外観を構成することができ、デザインの自由度が高まり、顧客の要望に柔軟に対応することができる。
　さらに、がらり２０の配置数を調整すればがらり２０の高さ寸法を調整することができるので、大きさが決まっている太陽電池モジュール３０を配置した際の寸法変動をがらり２０の配置によって調整することができ、様々な大きさの壁パネル１を製造することができる。
　【００１９】
　破損や劣化によって太陽電池３４を交換する必要が生じた際に、太陽電池モジュール３０のみを交換すればよく、特にモジュール３０はボルト等を外すだけで簡単に取り外すこともできるため、太陽電池３４の交換作業を簡単に行うことができて作業性を向上することができる。
　【００２０】
　太陽電池３４は、太陽電池モジュール３０として構成されて壁パネル１に取り付けられているので、壁パネル１内の交換すべき太陽電池３４が含まれる太陽電池モジュール３０のみを交換すればよく、壁パネル１全体を交換する必要がないため、交換に必要となる部品コストを低減することができる。
　【００２１】
　壁パネル１の防水性能や耐火性能は、止水板１５、耐火ボード１６、シール材１８等で確保されており、太陽電池モジュール３０を取り外しても壁材としての性能を維持することができ、太陽電池モジュール３０の着脱作業を防水性などを考慮せずに簡単に行うことができる。
　【００２２】
　各太陽電池モジュール３０を、壁面に対して傾斜させて太陽電池３４の受光面を斜め上方に向けて配置しているので、太陽光を受光面に対してほぼ垂直に近い角度で照射させることができ、発電効率を向上させることができる。この際、太陽電池モジュール３０の傾斜角度を調整することができるので、太陽電池付壁パネル１を設置する建物がある地域や、その建物における壁パネル１の設置位置等の条件、さらには季節などに合わせて最適な角度で太陽電池モジュール３０を傾斜させて発電効率を向上させることができる。
　【００２３】
　太陽電池モジュール３０は、太陽電池３４をＥＶＡ等の透明充填材３３で被覆し、さらにこの充填材３３を透明パネル３１、裏面パネル３２、シール材３５で覆っているため、透明充填材３３や太陽電池３４部分に水が浸入することが無く、確実に防水することができる。このため、モジュール３０に雨水等が吹き付けても、太陽電池３４の性能が劣化することがなく、モジュール３０を室外側に露出することができるので、外気による太陽電池３４の冷却効率をより一層向上することができる。
　【００２４】
　図３には、本発明の第２実施例が示されている。なお、第２実施例において、前記第１実施例と同一あるいは同様構成部分には同一符号を付し、説明を省略あるいは簡略する。
　図３に示す第２実施例の太陽電池付壁パネル１は、空気流通手段としてがらりの代わりに、複数の通気孔２４が形成されたパンチングメタル２５を用いたものである。このパンチングメタル２５は、壁パネル１の上部、下部および中間部に配置されている。
　【００２５】
　また、太陽電池モジュール３０は傾斜されずに、各パンチングメタル２５間に、垂直面に沿ってかつ隙間無く配置されている。
　そして、太陽電池モジュール３０の室内側には、前記第１実施例と同様に、各パンチングメタル２５に連通する通気路（図示せず）が形成されている。
　【００２６】
　このような第２実施例においても、各パンチングメタル２５の通気孔２４から通気路を通して太陽電池３４の裏面（室内側）に外気が流通され、太陽電池３４の温度上昇を防止することができ、発電効率の低下を防止することができる。
　また、空気流通手段としてパンチングメタル２５を用いているので、がらり２０を用いた場合とは異なる外観を構成することができるほか、前記第１実施例と同様の作用、効果を得ることができる。
　【００２７】
　なお、本発明は、前記各実施例の構成に限らない。例えば、空気流通手段は、がらり２０やパンチングメタル２５に限らず、例えばエキスパンドメタルのような網状の通気孔が形成されたもので構成してもよい。要するに、空気流通手段としては、太陽電池３４の裏面側（室内側）に外気を流通させることができるものであればよく、具体的な構成、形状などは実施にあたって適宜設定すればよい。この際、空気流通手段によって太陽電池付壁パネル１の外観が変わるため、顧客の要望する外観等に応じて空気流通手段を適宜選択、設置してもよい。
　【００２８】
　また、空気流通手段の配置位置は、前記各実施例のように壁パネルの上下、あるいは上中下の各位置に設けるものに限らず、壁パネル１の中間部のみ、あるいは壁パネルの左右両端に設けてもよく、これらは、太陽電池３４の形態（例えば縦長の太陽電池モジュールを左右に連設するなど）、設置位置などに応じて適宜選択すればよい。
　【００２９】
　さらに、太陽電池付壁パネル１の構造等も前記実施例に限らず、例えば壁パネル１の室外面に複層ガラスを配置し、そのガラス間に太陽電池を配置するガラスパッケージ方式の太陽電池モジュールが取り付けられた壁パネルなどを用いてもよい。この場合には、前記複層ガラスの上下箇所などに空気流通手段を設ければよい。
　【００３０】
　また、太陽電池３４や太陽電池モジュール３０としては、前記実施例の構成に限らない。例えば、太陽電池モジュール３０の裏面パネル３２に放熱用のフィンを設けて構成してもよく、具体的な形状、構成は実施にあたって適宜設定すればよい。
　【００３１】
　【発明の効果】
　本発明の太陽電池付壁パネルによれば、空気流通手段を設けて太陽電池の室内側に外気を流通させることができるので、太陽電池の温度上昇を抑えることができ、発電効率の低下を防止することができるという効果がある。
【図面の簡単な説明】
　【図１】
　本発明の第１実施例の太陽電池付壁パネルを示す概略斜視図である。
　【図２】
　第１実施例の太陽電池付壁パネルの縦断面図である。
　【図３】
　本発明の第２実施例の太陽電池付壁パネルを示す概略斜視図である。
　【符号の説明】
　１…太陽電池付壁パネル、２０…空気流通手段であるがらり、２１…空気流通手段である通気路、２５…空気流通手段であるパンチングメタル、３０…太陽電池モジュール、３４…太陽電池。